(57)【要約】【課題】吸収性物品の中央領域での液の吸収機能を高めて後方への経血の洩れを防止できるようにし、また表面シートの耐久性を高く維持できるようにする。【解決手段】生理用ナプキン１の肌側表面に、内側圧縮溝１１と１１で囲まれた縦長の中央領域２０が形成されている。中央領域２０の前方部分２０Ａには、液透過孔２５のみが形成され、後方部分２０Ｂにはエンボス部２６のみが形成されている。前方部分２０Ａに与えられた経血は液透過孔２５を経て液吸収層に速やかに吸収され、後方部分２０Ｂに流れた経血はエンボス部２６の密度差により引き付けられ、後方への経血の洩れを防止できる。また後方部分２０Ｂに液透過孔が形成されていないため、表面シートの耐久性を高めることができる。【選択図】    図１
2004181086.tif 000002
【特許請求の範囲】
【請求項１】
肌側表面に位置する液透過性の表面シートと、着衣側表面に位置する裏面シートと、前記表面シートと前記裏面シートとの間に位置する液吸収層を備えた縦長の吸収性物品において、
縦方向中心線から左右両側に離れた位置に、前記表面シートから前記液吸収層にかけて形成された一対の圧縮溝が縦方向に延びて形成されて、前記圧縮溝に挟まれた縦長の中央領域が形成され、前記中央領域は前方部分と後方部分に区分されており、
前記中央領域に不織布で形成された表面シートが位置し、前記中央領域に、少なくとも前記表面シートを貫通する多数の液透過孔と、少なくとも前記表面シートが加圧されたドット状のエンボス部が多数形成されており、
（前方部分の液透過孔の占める面積の総和）／（前方部分の面積）で現される開孔密度が、（後方部分の液透過孔の占める面積の総和）／（後方部分の面積）の開孔密度よりも高く、（後方部分のエンボス部の占める面積の総和）／（後方部分の面積）で現されるエンボス密度が、（前方部分のエンボス部の占める面積の総和）／（前方部分の面積）のエンボス密度よりも高いことを特徴とする吸収性物品。
【請求項２】
前記表面シートは熱融着性繊維を含み、前記表面シートの下には、熱融着性繊維を含むセカンド層が設けられており、前記液透過孔は、前記表面シートから前記セカンド層にかけて形成されて、前記液透過孔の内面で表面シートとセカンド層とが融着されており、前記エンボス部は、前記表面シートと前記セカンド層が一緒に圧縮され、且つ表面シートとセカンド層とが融着されている請求項１記載の吸収性物品。
【請求項３】
前記セカンド層の目付けが、前記表面シートの目付けよりも大きい請求項２記載の吸収性物品。
【請求項４】
前記前方部分には、前記液透過孔が形成され、前記エンボス部が形成されていない請求項１ないし３のいずれかに記載の吸収性物品。
【請求項５】
前記後方部分で隣接する前記エンボス部の中心間距離の平均値が、前記前方部分で隣接する前記液透過孔の中心間距離の平均値よりも長い請求項４記載の吸収性物品。
【請求項６】
肌側表面に位置する液透過性の表面シートと、着衣側表面に位置する裏面シートと、前記表面シートと前記裏面シートとの間に位置する液吸収層を備えた縦長の吸収性物品において、
縦方向中心線から左右両側に離れた位置に、前記表面シートから前記液吸収層にかけて形成された一対の圧縮溝が縦方向に延びて形成されて、前記圧縮溝に挟まれた縦長の中央領域が形成され、前記中央領域は前方部分と後方部分に区分されており、
前記中央領域の全域に、液透過孔が均一に分布した表面シートが位置し、前記中央領域に前記表面シートが加圧されたドット状のエンボス部が多数形成されており、（後方部分のエンボス部の占める面積の総和）／（後方部分の面積）で現されるエンボス密度が、（前方部分のエンボス部の占める面積の総和）／（前方部分の面積）のエンボス密度よりも高いことを特徴とする吸収性物品。
【請求項７】
前記表面シートは、液透過孔が形成された樹脂フィルムである請求項６記載の吸収性物品。
【請求項８】
前記表面シートの下には、熱融着性繊維を含むセカンド層が設けられており、前記エンボス部は、前記表面シートと前記セカンド層が一緒に圧縮され、表面シートとセカンド層とが融着されている請求項６または７記載の吸収性物品。
【請求項９】
前記前方部分には前記エンボス部が形成されていない請求項６ないし８のいずれかに記載の吸収性物品。
【請求項１０】
前記前方部分は、女性の膣口に対向する領域であり、前記後方部分は、女性の前記膣口から外れた後方部分に対向する領域である請求項１ないし９のいずれかに記載の吸収性物品。
【発明の詳細な説明】
【０００１】
【発明の属する技術分野】
本発明は、女性性器から排泄される経血などの吸収に適した吸収性物品に係り、特に、膣口から臀部までを覆う縦長の吸収性物品に関する。
【０００２】
【従来の技術およびその問題点】
女性性器から排泄される経血を吸収する吸収性物品の一般的な構造は、肌側表面に位置する液透過性の表面シートと、着衣側表面に位置する液不透過性の裏面シートと、前記表面シートと裏面シートの間に介在する液吸収層とを有するものであり、通常は下着のクロッチ布の内面に前記裏面シートが感圧接着層を介して接着された状態で着用される。
【０００３】
前記吸収性物品では、肌側表面に与えられる経血を確実に捕捉して、吸収性物品の側方への液洩れや後方部分から外部への液洩れを防止する機能が要求される。
【０００４】
特に生理中の女性が就寝時に着用する吸収性物品では、吸収性物品の横方向からの経血の洩れを防止すると共に、身体を伝わって肛門から臀部の溝に向かって流れ出ようとする経血、または吸収性物品の肌側表面に沿って後方へ流れようとする経血を外に漏らさないことが求められる。そのため、以下の特許文献１および特許文献２に記載のように、就寝時に使用される吸収性物品は、通常時に使用するものよりも縦方向に長く形成され、その肌側表面で膣口の前方の恥丘から肛門よりも後方の臀部までの広い範囲を覆うことができるようにしている。
【０００５】
そして、前記縦長の吸収性物品では、膣口に対向する部分から肛門や臀部の溝にかけて対向する部分までの広い範囲において、液透過孔が均一に分散した表面シートが用いられることが多い。例えば、前記広い範囲で液透過孔が均一に分散して形成された不織布、または液透過孔が均一に分散した樹脂フィルムが用いられる。
【０００６】
しかし、前記不織布は、多数の液透過孔を形成することによりその表面の摩擦強度が低くなるため、寝返りなどの身体の姿勢の変化で臀部の溝に挟まれている後方部分に大きな力が作用すると、液透過孔の周囲の繊維が毛羽立ったり、さらには液透過孔の周囲から破れが生じる心配がある。
【０００７】
また、液透過孔が形成された前記樹脂フィルムが用いられる場合、この樹脂フィルムが薄くて軟質である場合には、前記のような姿勢の変化により、肛門や臀部の溝に密着している部分で表面シートに皺が発生しやすい。そのため、前記のように薄い樹脂フィルムを用いる場合には、樹脂フィルムとその下に位置する層との間をホットメルト接着剤で接着して下の層で樹脂フィルムを拘束できるようにしている。しかし前記ホットメルト接着剤は、表面シートからその下の層への経血の浸透を妨げることになる。
【０００８】
すなわち、膣口から臀部の溝までを覆う縦長の吸収性物品では、膣口に対向する部分に一時に多くの経血が与えられるため、膣口に対向する前方部分では経血を迅速に液吸収層に導くことが要求され、一方、肛門や臀部の溝に対向する後方部分は、液の吸収の迅速さではなく少量の経血を留めて外部に漏らさないための機能、および臀部の溝内での圧縮や臀部との摩擦により、毛羽立ちや破れを防止し、あるいは皺の発生を抑えるだけの耐久性や接合強度が要求される。このように、要求される機能の相違する部分に対し、液透過孔が均一に開孔した同じ表面シートを用いるのは、最良な構造とはいえない。
【０００９】
本発明は上記従来の課題を解決するものであり、膣口に対向する前方部分では、経血の透過の迅速性を実現でき、臀部の溝に対向する後方部分では、経血の洩れの抑制機能と、さらに表面強度や接合強度を高めることのできる吸収性物品を提供することを目的としている。
【００１０】
【特許文献１】
特開２００１−９５８４２号公報
【特許文献２】
特開２００１−１２９０１８号公報
【００１１】
【課題を解決するための手段】
第１の本発明は、肌側表面に位置する液透過性の表面シートと、着衣側表面に位置する裏面シートと、前記表面シートと前記裏面シートとの間に位置する液吸収層を備えた縦長の吸収性物品において、
縦方向中心線から左右両側に離れた位置に、前記表面シートから前記液吸収層にかけて形成された一対の圧縮溝が縦方向に延びて形成されて、前記圧縮溝に挟まれた縦長の中央領域が形成され、前記中央領域は前方部分と後方部分に区分されており、
前記中央領域に不織布で形成された表面シートが位置し、前記中央領域に、少なくとも前記表面シートを貫通する多数の液透過孔と、少なくとも前記表面シートが加圧されたドット状のエンボス部が多数形成されており、
（前方部分の液透過孔の占める面積の総和）／（前方部分の面積）で現される開孔密度が、（後方部分の液透過孔の占める面積の総和）／（後方部分の面積）の開孔密度よりも高く、（後方部分のエンボス部の占める面積の総和）／（後方部分の面積）で現されるエンボス密度が、（前方部分のエンボス部の占める面積の総和）／（前方部分の面積）のエンボス密度よりも高いことを特徴とするものである。
【００１２】
この吸収性物品は、表面シートが不織布で形成されているため、身体への接触感触が軟質である。不織布の液透過孔が形成されている部分は、経血が前記液透過孔内を自重で落下するように通過するため、経血が速く透過できる。一方、不織布に形成されたエンボス部では、繊維密度が高く毛細管作用により経血を強く引き込むことができる。すなわち液透過孔は経血を引き付ける力は弱いが、経血の透過が迅速であり、エンボス部が形成されている部分は経血の透過速度は遅いが経血を引き付ける力が強い。
【００１３】
前記中央領域の前方部分に液透過孔を多く形成することにより、膣口から排泄された経血を短時間に液吸収層に移行させることができ、後方部分では、少しずつ移行してくる経血をエンボス部で引き止めて外部への洩れを防止できる。
【００１４】
そして、後方部分に多くのエンボス部を配置することにより、後方部分の不織布の表面の摩擦強度を高めることができ、後方部分に臀部の溝からの力が与えられたときに、毛羽立ちや破れの発生などを防止できる。また、前方部分はエンボス部の数が少ないため、エンボス部が膣口などに当たる確率が低くなり、膣口などへの刺激が少なくなって装着感が優れる。
【００１５】
また本発明は、前記表面シートは熱融着性繊維を含み、前記表面シートの下には、熱融着性繊維を含むセカンド層が設けられており、前記液透過孔は、前記表面シートから前記セカンド層にかけて形成されて、前記液透過孔の内面で表面シートとセカンド層とが融着されており、前記エンボス部は、前記表面シートと前記セカンド層が一緒に圧縮され、且つ表面シートとセカンド層とが融着されているものとして構成できる。
【００１６】
この発明では、表面シートとセカンド層が液透過孔の周囲で接合されているため、表面シートがセカンド層で補強され、身体から力を受けたときに表面シートに皺が発生しずらく、液透過孔の部分から表面シートに破れが生じるのを防止できる。そのため、前記液透過孔を大きな開孔寸法のものとすることも可能である。また後方部分で、表面シートとセカンド層にエンボス部が形成されていると、後方部分においても表面シートがセカンド層で補強される。また表面シートとセカンド層を一緒に加圧するとエンボス部の周囲が嵩高となり、エンボス部が身体に硬質感を与えにくくなる。
【００１７】
前記のように、補強機能を発揮し、また嵩高とするためには、前記セカンド層の目付けが、前記表面シートの目付けよりも大きいことが好ましい。
【００１８】
また、本発明は、前記前方部分には、前記液透過孔が形成され、前記エンボス部が形成されていないものとして構成できる。
【００１９】
前方部分に液透過孔のみを形成することにより、前方部分の全域が軟質となり、膣口やその周辺への密着感触が軟質で良好になる。
【００２０】
この場合に、前記後方部分で隣接する前記エンボス部の中心間距離の平均値が、前記前方部分で隣接する前記液透過孔の中心間距離の平均値よりも長いことが好ましい。
【００２１】
前方部分で液透過孔の開孔密度を高くしておくことにより、膣口から排泄される経血を前記液透過孔から速やかに液吸収層に移行させることができる。また後方部分へ移行しようとする経血は前方部分に与えられる経血に比べて少ないため、エンボス密度が低くても後方への移行を充分に阻止できる。また後方部分でのエンボス密度を低くすることにより、後方部分が硬くなりすぎるのを防止でき、後方部分と身体との接触感触を柔らかくできる。
【００２２】
第２の本発明は、肌側表面に位置する液透過性の表面シートと、着衣側表面に位置する裏面シートと、前記表面シートと前記裏面シートとの間に位置する液吸収層を備えた縦長の吸収性物品において、
縦方向中心線から左右両側に離れた位置に、前記表面シートから前記液吸収層にかけて形成された一対の圧縮溝が縦方向に延びて形成されて、前記圧縮溝に挟まれた縦長の中央領域が形成され、前記中央領域は前方部分と後方部分に区分されており、
前記中央領域の全域に、液透過孔が均一に分布した表面シートが位置し、前記中央領域に前記表面シートが加圧されたドット状のエンボス部が多数形成されており、（後方部分のエンボス部占める面積の総和）／（後方部分の面積）で現されるエンボス密度が、（前方部分のエンボス部の占める面積の総和）／（前方部分の面積）のエンボス密度よりも高いことを特徴とするものである。
【００２３】
この吸収性物品においても、後方部分にエンボス部を集中して配置することにより、エンボス部が膣口およびその周辺に刺激を与えることがなく、また後方へ移行しようとする経血を密度の高いエンボス部で引き付けることができる。
【００２４】
また、前記発明では、表面シートが不織布で形成されるもの以外に、前記表面シートが、液透過孔が形成された樹脂フィルムであってもよい。
【００２５】
この場合に、前記エンボス部により、表面シートとその下の層との接合性を良好にでき、臀部の溝などとの摩擦によって表面シートに皺が発生するのを防止できる。また、エンボス部により表面シートの下の層の密度を高めることにより、この密度の高い部分で、後方へ移行しようとする経血を留める機能を発揮できる。
【００２６】
前記樹脂フィルムの表面シートの下には、熱融着性繊維を含むセカンド層が設けられており、前記エンボス部は、前記表面シートと前記セカンド層が一緒に圧縮され、表面シートとセカンド層とが融着されていることが好ましい。
【００２７】
これにより、後方部分において、樹脂フィルムの表面シートとセカンド層をホットメルト接着剤を過剰に用いることなく一体化でき、またエンボス部で、セカンド層の繊維密度を高くでき、エンボス部で経血を強く引き付けることができる。
【００２８】
また、前記前方部分には前記エンボス部が形成されていない構造にすると、前方部分が膣口およびその周辺に密着したときに、肌へ与える刺激を少なくできる。
【００２９】
以上のように本発明は、前記前方部分は、女性の膣口に対向する領域であり、前記後方部分は、女性の前記膣口から外れた後方部分に対向する領域である縦長の吸収性物品において有用である。
【００３０】
【発明の実施の形態】
本発明の吸収性物品は、女性の膣口から排泄される経血を吸収することを主な目的とする生理用ナプキンとして使用される。また吸収性物品の２つの表面のうち股間部に向けられる表面を肌側表面とし、反対側の表面は、その外側に着衣が着用されるか否かに拘らず着衣側表面と表現する。
【００３１】
本明細書での縦方向中心線とは、吸収性物品を横方向に二分して縦方向に延びる線を意味する。一方、横方向基準線は、必ずしも吸収性物品を縦方向に二分する位置を横断していることを意味せず、身体に装着したときに、膣口に当たる部分での縦方向の中心を通る線を意味している。
【００３２】
また以下の実施の形態で示すように、中央領域に液透過孔とエンボス部とが形成されているが、本明細書では、単位面積（この面積は任意であるが例えば１００ｍｍ２）あたりの液透過孔の数、および前記単位面積あたりのエンボス部の数を、それぞれ液透過孔の密集度、エンボス部の密集度と表現する。
【００３３】
また、中央領域を前方部分と後方部分に区分しているが、（前方部分の液透過孔の占める面積の総和）／（前方部分の面積）を、前方部分での開孔密度と定義し、同様に、（後方部分の液透過孔の占める面積の総和）／（後方部分の面積）を、後方部分での開孔密度、（前方部分のエンボス部の占める面積の総和）／（前方部分の面積）を、前方部分のエンボス密度、（後方部分のエンボス部の占める面積の総和）／（後方部分の面積）を、後方部分のエンボス密度と定義する。
【００３４】
図１は本発明の吸収性物品の第１の実施の形態として生理用ナプキン１を肌側表面を上向きにして示した平面図、図２は、図１の生理用ナプキンが下着のクロッチ布に取り付けられた状態を示すものであり、横方向基準線で切断したＩＩ−ＩＩ矢視の断面図、図３は前記生理用ナプキンの中央領域の前方部分を示す拡大断面図、図４は前記生理用ナプキンの中央領域の後方部分を示す拡大断面図である。
【００３５】
図１に示す生理用ナプキン１は、生理中の女性が就寝時などに着用するのに適した縦長のものであり、縦方向（Ｙ方向）の全長寸法は、ほぼ２００〜３８０ｍｍである。
【００３６】
生理用ナプキン１は、縦方向中心線Ｏｙ−Ｏｙから横方向に等距離を開けて縦方向に延びる右側縁部１ａと左側縁部１ｂを有し、横方向基準線Ｏｘ−Ｏｘから前後に間隔を開けた突曲線形状の前縁部１ｃおよび後縁部１ｄを有している。横方向基準線Ｏｘ−Ｏｘから前縁部１ｃまでの距離よりも、横方向基準線Ｏｘ−Ｏｘから後縁部１ｄまでの距離の方が長くなっている。
【００３７】
前記右側縁部１ａと左側縁部１ｂは、横方向基準線Ｏｘ−Ｏｘを含む縦方向の所定の長さ範囲において左右両側に突出して、この突出部分でウイング部１Ａ，１Ａが形成されている。また前記右側縁部１ａと左側縁部１ｂは、前記横方向基準線Ｏｘ−Ｏｘから後方へ離れるにしたがって、横方向の対向間隔が徐々に広がるように曲線形状に形成されており、この広がり部分で後方フラップ１Ｂ，１Ｂが形成されている。
【００３８】
図２の断面図に示すように、この生理用ナプキン１は、着衣側表面に現れる液不透過性の裏面シート２と、肌側表面に現れる液透過性の表面シート３を有している。前記裏面シート２と前記表面シート３との間には液吸収層４が介在し、表面シート３と液吸収層４との間にセカンド層５が設けられている。図１において点線で示すように、この液吸収層４は、前縁部１ｃの内側から後縁部１ｄの内側にかけて、また前記ウイング部１Ａ，１Ａと後方フラップ１Ｂ，１Ｂを除く広い範囲に設けられている。
【００３９】
生理用ナプキン１は、少なくとも表面シート３と前記液吸収層４とが局部的に加圧され且つ加熱されて、肌側表面に現れる圧縮溝１０が形成されている。この圧縮溝１０は、加熱ローラを用いたエンボス加工によって形成される。前記液吸収層４と表面シート３が重ねられた状態で、液吸収層４の外面に表面がフラットなロールが当てられ、表面シート３の表面にエンボスパターンの凸部を有する加熱ロールが当てられて、加圧され且つ加熱されて形成される。
【００４０】
前記圧縮溝１０では、前記液吸収層４および表面シート３がほぼフィルム状に圧着された高密度圧縮部と、フィルム状にはなっていないが圧縮溝１０以外の領域よりも高密度となった中密度圧縮部とが、交互に形成されている。この高密度圧縮部と中密度圧縮部とを有する圧縮溝が、生理用ナプキン１の肌側表面から裏面シート２側へ窪む凹溝として形成されている。
【００４１】
図１に示すように、前記圧縮溝１０は符号１１ないし１７で示す各圧縮溝に区分される。
【００４２】
縦方向中心線Ｏｙ−Ｏｙから右側と左側に等距離を開けた位置に、縦方向に延びる内側圧縮溝１１，１１が形成されている。前記内側圧縮溝１１，１１には、前方曲線部１１Ａ，１１Ａが含まれ、この前方曲線部１１Ａ，１１Ａは、横方向基準線Ｏｘ−Ｏｘの部分でその対向間隔が狭くなるように、縦方向中心線Ｏｙ−Ｏｙに凸側が向けられる円弧曲線となっている。前記前方曲線部１１Ａ，１１Ａの曲線にしたがって、前記内側圧縮溝１１，１１の対向間隔が、横方向基準線Ｏｘ−Ｏｘから後方（後縁部１ｄの方向）に向かうにしたがって徐々に広くなる。そして、変曲部１１Ｂ，１１Ｂにおいて前記対向間隔が最も広くなり、変曲部１１Ｂ，１１Ｂから後方に向かうにしたがってその対向間隔が徐々に狭くなる後方傾斜部１１Ｄ，１１Ｄが形成されている。
【００４３】
前記前方曲線部１１Ａ，１１Ａの前端において、左右の内側圧縮溝１１と内側圧縮溝１１とが、前方連結圧縮溝１２により連結されている。この前方連結圧縮溝１２は、前縁部１ｃに凸側が向けられる曲線形状である。
【００４４】
前記前方曲線部１１Ａ，１１Ａと前記前方連結圧縮溝１２との交点から、前縁部１ｃに向けて一対の延長圧縮溝１３，１３が形成されている。この延長圧縮溝１３，１３は、縦方向中心線Ｏｙ−Ｏｙに対して左右に等距離に配置されている。
【００４５】
前記後方傾斜部１１Ｄ，１１Ｄの後端において、内側圧縮溝１１と内側圧縮溝１１とが後方連結圧縮溝１４により連結されている。後方連結圧縮溝１４は、後縁部１ｄに凸側が向けられる曲線形状である。
【００４６】
前記内側圧縮溝１１，１１、前方連結圧縮溝１２、延長圧縮溝１３，１３、および後方連結圧縮溝１４は、全て連続して形成されている。また、前記内側圧縮溝１１，１１、前方連結圧縮溝１２、および後方連結圧縮溝１４により、生理用ナプキン１の肌側表面の所定範囲が囲まれて、この囲まれた範囲が中央領域２０となっている。この中央領域２０は、縦方向中心線Ｏｙ−Ｏｙに対して左右対称であり、横方向基準線Ｏｘ−Ｏｘよりも前方が短く、横方向基準線Ｏｘ−Ｏｘから後方に長い縦長形状である。
【００４７】
内側圧縮溝１１，１１の前方曲線部１１Ａ，１１Ａの左右両外側には、前方外側圧縮溝１５，１５が形成されている。この前方外側圧縮溝１５，１５は、前記横方向基準線Ｏｘ−Ｏｘを中心として縦方向の前後の所定長の範囲に形成されている。前記前方外側圧縮溝１５，１５は、前記前方曲線部１１Ａ，１１Ａと相似の曲線形状である。
【００４８】
前記内側圧縮溝１１，１１の後方傾斜部１１Ｄ，１１Ｄの左右両外側には、後方外側圧縮溝１６，１６が設けられている。前記後方外側圧縮溝１６，１６は、後縁部１ｄに向かうにしたがって間隔が徐々に狭くなるように傾斜し、その後方で、左右の後方外側圧縮溝１６と１６が後方連結圧縮溝１７で連結されている。前記後方外側圧縮溝１６，１６と前記後方連結圧縮溝１７は連続して形成されており、後方連結圧縮溝１７は、後縁部１ｄに凸側が向けられた曲線形状である。
【００４９】
前記中央領域２０は、前方部分２０Ａと後方部分２０Ｂとに区分される。この前方部分２０Ａと後方部分２０Ｂの境界および前方部分２０Ａと後方部分２０Ｂの縦方向の長さ寸法は、生理用ナプキン１の縦方向の長さ寸法により相違する。図６に示す女性の身体に着用したときに膣口（Ｎ）に対向する部分が前方部分２０Ａであり、後方部分２０Ｂは、膣口（Ｎ）に対向することのない部分であり、例えば、主に肛門（Ｐ）から臀部の溝（Ｑ）付近に対向する部分を示す。
【００５０】
図１に示す実施の形態では、内側圧縮溝１１，１１の前記変曲部１１Ｂ，１１Ｂのそれぞれの頂部を結ぶ線から前記前方連結圧縮溝１２までが前方部分２０Ａであり、前記変曲部１１Ｂ，１１Ｂのそれぞれの頂点を結ぶ線から前記後方連結圧縮溝１４までが後方部分２０Ｂである。
【００５１】
図１に示すように、前記セカンド層５は、前記中央領域２０に設けられて縦方向に長辺が向けられた長方形であり、長辺である左右両側縁部５ａ，５ａは、前記内側圧縮溝１１，１１よりも縦方向中心線Ｏｙ−Ｏｙ側に位置し、セカンド層５は、内側圧縮溝１１，１１に掛かっていない。セカンド層５の短辺である前縁部５ｂは、前方連結圧縮溝１２よりもやや横方向基準線Ｏｘ−Ｏｘに近い側に位置し、セカンド層５が前方連結圧縮部１２に掛かっていない。一方、セカンド層５の後部は後方連結圧縮溝１４を横断し、短辺である後縁部５ｃは、後方連結圧縮溝１４よりも後方で且つ後方連結圧縮溝１７よりも前方に位置している。
【００５２】
なお、セカンド層５の前部が前方連結圧縮溝１２を横断して前縁部５ｂが、前方連結圧縮溝１２と前縁部１ｃとの中間に位置してもよいし、セカンド層５の前縁部５ｂが生理用ナプキン１の前縁部１ｃまで延び、後縁部５ｃが生理用ナプキン１の後縁部１ｄまで延びていてもよい。
【００５３】
前記中央領域２０では、その前方部分２０Ａに、多数の液透過孔２５が規則的に配列して設けられており、後方部分２０Ｂには、多数のドット状のエンボス部２６が規則的に配列して設けられている。図１では、液透過孔２５とエンボス部２６とを図面上で区別しやすいように、便宜上、エンボス部２６を黒丸で示している。しかし実際の製品でエンボス部２６が黒く着色されているものではない。
【００５４】
前記前方部分２０Ａには、前記液透過孔２５が形成されているが、エンボス部２６は形成されていない。すなわち、前方部分２０Ａでは、隣接する液透過孔２５と液透過孔２５との間にエンボス部２６が存在していない。ただし、図１に示すように前方部分２０Ａと後方部分２０Ｂとの境界部の限られた領域内で、前記液透過孔２５とエンボス部２６とが混在することを妨げるものではない。
【００５５】
この実施の形態では、個々の液透過孔２５が円形であるが、液透過孔２５が長円形であってもよいし、個々の液透過孔２５が短いスリットであってもよい。
【００５６】
この実施の形態では、後方部分２０Ｂに、エンボス部２６のみが設けられており、液透過孔２５が設けられていない。ただし、前記後方部分２０Ｂにおいて、エンボス部２６に液透過孔２５が混在していることを妨げない。ただし、後方部分２０Ｂに液透過孔２５が形成されている場合に、後方部分２０Ｂでの液透過孔２５の数が、エンボス部２６の数よりも少ないことが好ましい。あるいは、（後方部分の液透過孔２５の占める面積の総和）／（後方部分２０Ｂの面積）で現される開孔密度が、（後方部分のエンボス部２６の占める面積の総和）／（後方部分２０Ｂの面積）で現されるエンボス密度よりも低いことが好ましい。
【００５７】
この実施の形態では、ドット状に配列するエンボス部２６の個々の形状は円形である。しかしこの明細書で意味するドット状のエンボス部２６は、前記のように円形のものに限られるものではなく、長円形状、短い直線形状、その他の形状であってもよい。
【００５８】
また、前方部分２０Ａと後方部分２０Ｂの同じ面積で見たときに、後方部分２０Ｂでの所定面積当たりのエンボス部２６の数は、前方部分２０Ａでの同じ面積当たりの前記液透過孔２５の数よりも少ない。すなわち、後方部分２０Ｂでのエンボス部２６の密集度は、前方部分２０Ａでの液透過孔２５の密集度よりも低い。
【００５９】
また（後方部分のエンボス部２６の占める面積の総和）／（後方部分２０Ｂの面積）で現される後方部分２０Ｂでのエンボス密度は、（前方部分の液透過孔２５の占める面積の総和）／（前方部分２０Ａの面積）で現される前方部分２０Ａでの開孔密度よりも低い。さらに、図１に示す実施の形態では、前方部分２０Ａにおける隣接する液透過孔２５の中心間距離の平均値よりも、後方部分２０Ｂにおける隣接するエンボス部２６の中間間距離の平均値の方が長くなっている。ただし、個々のエンボス部２６の面積は、個々の液透過孔２５の面積よりも大きく形成されている。
【００６０】
１個の前記液透過孔２５の開孔面積は０．２〜８ｍｍ２であり、円形の場合は直径が０．５〜３．２ｍｍである。隣接する液透過孔２５の中心間距離は２〜８ｍｍである。また前記エンボス部２６の底部２６ａの面積は２〜１０ｍｍ２であり、円形の場合、直径が１．６〜３．６ｍｍである。また、隣接するエンボス部２６の中心間の距離は３〜１０ｍｍである。
【００６１】
前方部分２０Ａに与えられた経血を、液吸収層４に迅速に且つまんべんなく透過させるために、液透過孔２５は、前方部分２０Ａのどの位置においても同じ密集度で配置されていることが好ましく、図１に示すように、前記液透過孔２５が規則的に均一に配置されていることが好ましい。前記前方部分２０Ａでの開孔密度の百分率は６〜２０％である。また、前記液透過孔２５が形成されている領域の幅寸法は、縦方向中心線Ｏｙ−Ｏｙを中心としてＸ方向へ１０ｍｍ幅以上は必要である。前記範囲未満であると、膣口から排泄された経血を液吸収層４に充分に移行させることが難しい。
【００６２】
一方、後方部分２０Ａでは、エンボス部２６の密集度が、場所によって相違してもよい。例えば、エンボス部２６の密集度が、後方連結圧縮溝１４に近い場所において高く、変曲部１１Ｂ，１１Ｂに近い位置で前記密集度は低くてもよい。
【００６３】
図３は、前記前方部分２０Ａの液透過孔２５の開孔状態を示し、図４は前記後方部分２０Ｂのエンボス部２６の形成状態を示している。
【００６４】
図３に示すように、前方部分２０Ａでは、液透過孔２５が、表面シート３を貫通してセカンド層５に至るように形成されており、好ましくは前記液透過孔２５が、表面シート３からセカンド層５を貫通して形成されている。また、セカンド層５の側縁部５ａ，５ａから外れる部分では、前記表面シート３のみに液透過孔２５が形成されている。
【００６５】
図４に示すように、後方部分２０Ｂでは、表面シート３およびセカンド層５が圧縮されて、肌側表面から液吸収層４に向けて凹状となる前記エンボス部２６が形成されている。また、セカンド層５の側縁部５ａ，５ａから外れる部分では、前記表面シート３のみが圧縮されて、肌側表面からナプキン内部に向けて凹状となるエンボス部２６が形成されている。
【００６６】
前記表面シート３は熱融着が可能な熱可塑性繊維を含んでおり、前記セカンド層５も熱可塑性繊維を含んでいる。本明細書において、熱可塑性繊維を含むとは、前記表面シート３またはセカンド層５が熱可塑性繊維のみで形成されている場合、および熱可塑性繊維のみならず、天然繊維や再生セルロース繊維のような非熱融着性繊維が含まれている場合の双方を意味している。
【００６７】
前記液透過孔２５は加熱した針またはピンにより形成される。表面シート３とセカンド層５が重ねられた状態で、表面シート３からセカンド層５側に向けて前記針またはピンを差し込んで、抜き取ることにより、端末２５ａが下側へ突出した形状の液透過孔２５が形成される。このとき、液透過孔２５の内面２５ｂおよびその周囲では、表面シート３に含まれる熱可塑性繊維と、セカンド層５に含まれる熱可塑性繊維とが互いに融着される。これにより、液透過孔２５の開孔形状を維持できるとともに、セカンド層５によって液透過孔２５の開孔周囲が補強される。また前記熱融着によって表面シート３とセカンド層５とが接合されるため、表面シート３とセカンド層５とを接着剤で接着する必要が無くなり、接着剤によって液の透過が阻害されることがない。
【００６８】
また、前記液透過孔２５が形成された後に、表面シート３とセカンド層５とが加熱されたロール間に挟み込まれて前記エンボス部２６が形成される。このときセカンド層５の表面に表面がフラットなロールが当てられ、表面シート３側に、表面から凸部が形成されたエンボスロールが当てられる。これにより、エンボス部２６の内面２６ｂで、表面シート３に含まれる熱可塑性繊維とセカンド層５に含まれる熱可塑性繊維が互いに融着されるとともに、この内面２６ｂの外周部分で、表面シート３とセカンド層５の繊維密度が高くなる。
【００６９】
エンボス部２６の底部２６ａでは、表面シート３を形成する繊維とセカンド層５を形成する繊維とが圧縮されて高密度となり、底部２６ａが、前記熱可塑性繊維が溶融してフィルム状あるいはこれに近い高密度となる。
【００７０】
内面２６ｂおよび底部２６ａでの熱可塑性繊維の融着により、エンボス部２６の形状を維持できるようになるとともに、セカンド層５によって表面シート３を補強できる。特に底部２６ａが高密度とされることにより、表面シート３の耐久性を高めることができる。
【００７１】
前記表面シート３は、エアースルー不織布で形成される。このエアースルー不織布は、芯部が酸化チタンを含んだポリエチレンテレフタレート（ＰＥＴ）で、鞘部がポリエチレン（ＰＥ）の芯鞘型複合合成繊維を用い、この繊維を熱風によって接合したものであり、目付けは１５〜６０ｇ／ｍ２程度である。また表面シート３を構成している前記複合合成繊維は、親水性油剤がコーティングされたものと、撥水性油剤がコーティングされたものとが混合されたものであり、撥水性油剤がコーティングされた繊維の混合率は１０〜３０質量％が好ましい。表面シート３に撥水性油剤がコーティングされた繊維を前記混合率となるように均一に含ませることで、表面シート３に与えられた経血が表面シート３内で拡散しすぎるのを抑制でき、前方部分２０Ａでは経血が主に液透過孔２５を透過して液吸収層４に与えられるようになる。
【００７２】
ただし、前記表面シート３は液透過孔２５以外の領域でも経血をセカンド層５に向けて透過できる。このような液透過機能を発揮するためには、密度が０．１２ｇ／ｃｍ３以下であることが好ましく、その下限は０．０２５ｇ／ｃｍ３程度である。
【００７３】
セカンド層５は、芯部がポリプロピレン（ＰＰ）で鞘部がポリエチレン（ＰＥ）の断面が偏芯形状の芯鞘型複合合成繊維で形成されたエアースルー不織布で形成される。セカンド層５のエアースルー不織布は、親水性油剤がコーティングされた繊維のみで形成され、撥水性油剤がコーティングされた繊維は含まれていない。図３と図４に示す実施の形態では、セカンド層５は前記エアースルー不織布を複数枚重ねて構成されており、例えば１枚のエアースルー不織布が３枚重ねとなるように折り畳まれたものが使用される。１枚のエースルー不織布の目付けは１５〜５０ｇ／ｍ２程度であり、セカンド層５全体の目付けは４５〜１５０ｇ／ｍ２程度である。
【００７４】
セカンド層５の目付けを表面シート３の目付けよりも大きくすることにより、このセカンド層５で表面シート３を補強でき、表面シート３に過大な皺が生じたり液透過孔２５の部分から破れを生じることなどを防止できる。
【００７５】
例えば、表面シート３は繊度が２．２ｄｔｅｘの繊維で構成され、セカンド層５は繊度が４．４ｄｔｅｘの繊維で構成されて、セカンド層５の繊維密度が表面シート３の繊維密度よりも低くなっている。セカンド層５の繊維密度は０．０１６〜０．０８ｇ／ｃｍ３である。
【００７６】
なお、表面シート３とセカンド層５は、前記エアースルー不織布以外の不織布で形成されてもよい。例えば、表面シート３を、再生セルロース繊維と熱融着性の熱可塑性繊維とから構成されたスパンレース不織布、また前記繊維にパルプが含まれたスパンレース不織布で形成し、セカンド層５が、パルプと熱可塑性繊維とを空気中で積層した後にバインダーで接合し、加熱ロール間で加圧したエアーレイド不織布で形成してもよい。
【００７７】
前記液吸収層４は、粉砕パルプ、マーセル化パルプ、クロスリンクパルプなどのパルプの集合体に、ポリアクリル酸塩、ポリアクリルアミド、無水マレイン酸塩などの合成吸水ポリマーや、デンプン、セルロースなどの天然系の吸収ポリマーが含まれているものであり、パルプおよび前記合成吸水ポリマーなどが、親水性のティシューペーパで包まれたものが使用される。
【００７８】
前記裏面シート２は、液不透過性で且つ通気性のシートであり、微細な通気孔が形成されたポリエチレン（ＰＥ）フィルム、あるいはポリプロピレン（ＰＰ）フィルムなどである。例えば、プラスチックシートにＣａＣＯ３、ＢａＳＯ４等の無機フィラーを混合させて延伸処理することにより、微細な通気孔が適切に分散して形成され、通気性を向上させた、厚みが１５〜５０μｍ程度のフィルムを形成できる。
【００７９】
前記セカンド層５と液吸収層４は、液の透過を妨げないように部分的に配されたホットメルト接着剤で接着される。また、液吸収層４と裏面シート２もホットメルト接着剤で接着される。
【００８０】
なお、この生理用ナプキン１の製造工程は、前記のように表面シート３とセカンド層５を重ねて、液透過孔２５とエンボス部２６をいずれかが先となるように形成し、その後に液吸収層４とセカンド層５とを接着して前記圧縮溝１０を形成する。その後に、液吸収層４の表面に裏面シート２を接着する。
【００８１】
図２に示すように、肌側表面の左右両側には不透液性シート３０が設けられており、前記ウイング部１Ａ，１Ａおよび後部フラップ１Ｂ，１Ｂでは、前記不透液性シート３０，３０が、裏面シート２の上にホットメルト接着剤で接着されている。縦方向中心線Ｏｙ−Ｏｙから左右に等距離離れた位置で、不透液性シート３０が２枚重ねに折り畳まれ、その内部に縦方向に延びる弾性部材３２が接着されている。前記弾性部材３２により、生理用ナプキン１の前方部分と後方部分との間に弾性収縮力が作用して生理用ナプキン１を湾曲させる力が作用し、その結果生理用ナプキン１の前後の中間部分で、不透液性シート３０，３０が立ち上がって防漏壁３１，３１が形成される。
【００８２】
前記不透液性シートは、スパンボンド不織布、メルトブローン不織布、あるいはこれらを積層した複合不織布で形成されている。
【００８３】
液吸収層４の目付けは、中央領域２０において最も大きい。内側圧縮溝１１，１１と前方外側圧縮溝１５，１５とで挟まれた部分、内側圧縮溝１１，１１と後方外側圧縮溝１６，１６とで挟まれた部分、および後方連結圧縮溝１４と後方連結圧縮溝１７とで挟まれた部分のそれぞれは、目付けが前記中央領域２０よりも小さくなっている。それ以外の部分の液吸収層４の目付けは、内側圧縮溝１１，１１と前方外側圧縮溝１５，１５とで挟まれた部分などと同等かあるいは少し小さくなっている。
【００８４】
中央領域２０での液吸収層４の好ましい目付けは、４００〜１２００ｇ／ｍ２であり、さらに好ましくは、５００〜１０００ｇ／ｍ２である。前記内側圧縮溝１１，１１と前方外側圧縮溝１５，１５とで挟まれた部分、内側圧縮溝１１，１１と後方外側圧縮溝１６，１６とで挟まれた部分、および後方連結圧縮溝１４と後方連結圧縮溝１７とで挟まれた部分のそれぞれの好ましい目付けは、３００〜９００ｇ／ｍ２であり、さらに好ましくは３５０〜６００ｇ／ｍ２である。またその他の部分の液吸収層４の好ましい目付けは、３００〜７００ｇ／ｍ２である。
【００８５】
その結果、図２に示すように中央領域２０で厚みが大きくなり、中央領域２０では、肌側表面が身体に向けて大きく膨らんだ形状となる。
【００８６】
中央領域２０の縦方向の寸法、すなわち前方連結圧縮溝１２と後方連結圧縮溝１４との縦方向の間隔は、１２０〜３００ｍｍ程度である。図２に示す横方向基準線Ｏｘ−Ｏｘ上での中央領域２０の幅寸法、すなわち前方部分２０Ａにおいて最も狭い部分の幅寸法Ｗ１は、女性の性器の幅に応じて決められる。女性の股間部の幅の平均は３０ｍｍ程度であるため、前記幅寸法Ｗ１は、１５〜５０ｍｍの範囲が好ましく、さらに２０〜４０ｍｍの範囲が好ましい。また、内側圧縮溝１１，１１の変曲部１１Ｂ，１１Ｂ間の距離は、前記幅寸法Ｗ１よりも１０〜４０ｍｍ程度広い寸法である。また、セカンド層５の側縁部５ａ，５ａ間の幅寸法は、前記幅寸法Ｗ１よりも１〜１０ｍｍ短い。
【００８７】
中央領域２０の前記後方部分２０Ｂは、図６に示す女性の身体の臀部の溝（Ｑ）に入りやすい大きさであり、その長さ、すなわち変曲部１１Ｂ，１１Ｂから後方連結圧縮溝１４までの長さ寸法は、６０〜１５０ｍｍ程度である。
【００８８】
この生理用ナプキン１を身体に装着するときには、裏面シート２の外面に設けられた感圧接着剤を、図２に示すクロッチ布４１の内面に接着し、このとき後方フラップ１Ｂ，１Ｂも下着の内面に接着する。またウイング部１Ａ，１Ａを、クロッチ布４１の両側縁部を巻き込むようにして、下着の外面に向けて曲げ、ウイング部１Ａ，１Ａの着衣側表面に設けられた感圧接着剤をクロッチ布４１の外面に接着する。
【００８９】
図６に示すように、下着のクロッチ布４１に生理用ナプキン１を装着した状態でこの下着を着用すると、生理用ナプキン１の肌側表面によって、女性の股間部の恥丘（Ｍ）から臀部の溝（Ｑ）の後方にかけて覆われる。
【００９０】
図２に示すように、内側圧縮溝１１と１１とで挟まれている中央領域２０は、身体に向けて膨らんでおり、この中央領域２０が他の部分よりも嵩高となっている。よって、嵩高の中央領域２０の前方部分２０Ａが、膣口（Ｎ）に密着しやすく、好ましくは横方向基準線Ｏｘ−Ｏｘが横断する部分が膣口（Ｎ）の中心部に密着する。また、内側圧縮溝１１，１１の変曲部１１Ｂ，１１Ｂで挟まれた幅広の部分が主に会陰部（Ｏ）に当てられ、中央領域２０の後方部分２０Ｂが肛門（Ｐ）から臀部の溝（Ｑ）に当てられる。
【００９１】
前記中央領域２０の肌側表面に位置する表面シート３は低密度のエアースルー不織布であり、その下には嵩高のエアースルー不織布のセカンド層５が設けられている。そのため、中央領域２０が身体の前記各部分に与える接触感触が軟質である。特に、前方部分２０Ａにはエンボス部２６が存在していないため、膣口２５およびその周辺にエンボス部が当たることがなく、膣口およびその周辺に接触の刺激を与えることがない。また後方部分２０Ｂに位置するエンボス部２６は、表面シート３からセカンド層５にかけて深く形成されているため、後方部分２０Ｂにおいて、エンボス部２６の底部２６ａの高密度部分が身体に直接に当たりにくくなっている。よって、エンボス部２６が、会陰部（Ｏ）、肛門（Ｐ）および臀部の溝（Ｑ）内に刺激を与える可能性も低くなっている。
【００９２】
膣口（Ｎ）から排泄された経血は、主に中央領域２０の前方部分２０Ａに与えられる。表面シート３は低密度の不織布であるため、経血は表面シート２内に浸透するが、表面シート３に撥水性油剤をコーティングした繊維が含まれているため、表面シート３での経血の拡散は抑制される。表面シート３に与えられた経血は、その下に密着しているセカンド層５に移行するが、セカンド層５はエアースルー不織布で内部に空隙を有しているため、経血は重力によってセカンド層５の空隙内を通過し、その下に位置する液吸収層４に引き付けられるようになる。しかし、前方部分２０Ａに与えられた経血の多くは、液透過孔２５内を速やかに通過して、セカンド層５の下に密着している液吸収層４に引き付けられるようになる。
【００９３】
このように、膣口（Ｎ）から排泄される経血は、前方部分２０Ａにおいて液吸収層４に速やかに吸収される。ただし、就寝時の姿勢では、身体の会陰部（Ｏ）を超えて肛門（Ｐ）および臀部の溝（Ｑ）に向けて流れようとする経血が存在する。また前方部分２０Ａに多量の経血が一度に与えられたときに、その一部が表面シート３の表面を伝わって後方部分２０Ｂに移行することがある。
【００９４】
前記後方部分２０Ｂに移行した経血は、エンボス部２６の周囲の高密度部分の毛細管作用により強い力で引き付けられるが、この高密度部分は、表面シート３からセカンド層５にかけて形成されているため、経血は高密度部分を伝わって表面シート３からセカンド層５に至り、その下の親水性の高い液吸収層４に引き込まれて保持される。後方部分２０Ｂには液透過孔２５が形成されていないが、この後方部分２０Ｂに至る経血の量は前方部分２０Ａに与えられる経血よりも少ないため、後方部分２０Ｂに点在するエンボス部２６によって後方へ流れようとする経血を充分に捉えることができる。よって、後方への経血の漏れを防止できるようになる。
【００９５】
ここで、前記後方部分２０Ｂは、肛門（Ｐ）から臀部の溝（Ｑ）内にかけて密着し、臀部の動きに応じて、前記後方部分１０Ｂには側方からの圧縮力が反復的に作用する。また就寝時の寝返りのような身体の姿勢の大きな変化によっても前記後方部分２０Ｂに圧力が作用し、またこの圧力が変化する。しかし、後方部分２０Ｂでは、エンボス部２６が設けられて表面シート３の耐久性が高められており、しかもエンボス部２６によって、表面シート３がセカンド層５で補強されている。したがって、後方部分２０Ｂに大きな皺が生じたり、あるいは表面が毛羽立ったり、さらには破れが生じるという不安を解消できる。
【００９６】
図５は他の実施の形態の生理用ナプキンを説明する部分平面図である。
図５では、圧縮溝１１ないし１７および中央領域２０およびセカンド層５のみを図示している。その他の部分は図１に示す第１の実施の形態の生理用ナプキン１と同じであるため、図示を省略する。また、前記各圧縮溝１１ないし１７の形状および構造も図１に示す第１の実施の形態と同じである。
【００９７】
図５に示すように（図１の実施の形態においても説明したように）、内側圧縮溝１１，１１、前方連結圧縮溝１２および後方連結圧縮溝１４で囲まれている中央領域２０は、変曲部１１Ｂ，１１Ｂを起点としてそれよりも前方が前方部分２０Ａであり、前記変曲部１１Ｂ，１１Ｂを起点としてそれよりも後方が後方部分２０Ｂである。そして、前方部分２０Ａは、横方向基準線Ｏｘ−Ｏｘを中心として縦方向の前後に等距離を空けた領域が第１の前方部分２０Ａ１、それよりも前方の領域が第２の前方部分２０Ａ１で、後方の領域が第３の前方部分２０Ａ３である。
【００９８】
この生理用ナプキンは、主に前記第１の前方部分２０Ａ１が、膣口（Ｎ）に対向し、第３の前方部分２０Ａ３は、前記膣口（Ｎ）よりも後方に対向する。本明細書では、膣口に当たらない部分よりも後方に位置する部分を中央領域２０の後方部分と定義できるため、図５に示す実施の形態では、２０Ａ３と２０Ｂの領域を含めて後方部分と呼ぶことも可能である。ただし、以下では前記のように２０Ｂを後方部分、２０Ａ３を第３の前方部分と定義して説明する。
【００９９】
図５では、中央領域２０内においてエンボス部２６を塗りつぶさない白丸で示している。ただし、液透過孔の図示は省略している。
【０１００】
個々の前記エンボス部２６は全て同じ面積で形成されているが、その密集度、すなわち単位面積あたりのエンボス部２６の数は、膣口に当たる第１の前方部分２０Ａ１で低く、後方部分２０Ｂと第２の前方部分２０Ａ２と第３の前方部分２０Ａ３において高くなっている。
【０１０１】
また、（第１の前方部分２０Ａ１のエンボス部２６の占める面積の総和）／（第１の前方部分２０Ａ１の面積）をエンボス密度Ａ１、（第２の前方部分２０Ａ２のエンボス部２６の占める面積の総和）／（第２の前方部分２０Ａ２の面積）をエンボス密度Ａ２、（第３の前方部分２０Ａ３のエンボス部２６の占める面積の総和）／（第３の前方部分２０Ａ３の面積）をエンボス密度Ａ３とし、（後方部分２０Ｂのエンボス部２６の占める面積の総和）／（後方部分２０Ｂの面積）をエンボス密度Ｂとすると、エンボス密度Ａ１は、エンボス密度Ａ２，Ａ３およびエンボス密度Ｂのいずれよりも低い。またこの実施の形態では、エンボス密度Ａ１とエンボス密度Ａ２とエンボス密度Ｂがほぼ等しい。そして、エンボス密度Ａ１は、エンボス密度Ａ２，Ａ３およびエンボス密度Ｂの１／５以下であり、さらに好ましくは１／１０以下である。
【０１０２】
したがって、（前方部分２０Ａのエンボス部２６の占める面積の総和）／（前方部分２０Ａの面面積）で現されるエンボス密度は、（後方部分２０Ｂのエンボス部２６の占める面積の総和）／（後方部分２０Ｂの面積）で現されるエンボス密度よりも低く、前者のエンボス密度は後者のエンボス密度の１／５以下であり、さらに好ましくは１／１０以下である。
【０１０３】
なお、図５に示す実施の形態では、内側圧縮溝１１，１１の変曲部１１Ｂ，１１Ｂよりも後方において、後方傾斜部１１Ｄ，１１Ｄの内側に短圧縮溝１８，１８が形成されている。この短圧縮溝１８，１８は、前記各圧縮溝１１ないし１７と同様に、表面シート３と液吸収層４とが圧縮されて高密度圧縮部と低密度圧縮部とが交互に形成されたものである。
【０１０４】
このように後方部分２０Ｂには、ドット状のエンボス部２６の他に前記短圧縮部１８，１８が存在しているが、前記ドット状のエンボス部２６のエンボス密度の定義においては、前記短圧縮部の面積はエンボス部２６の占める面積の総和には含めない。
【０１０５】
図５に示すエンボス部２６の配置パターンを有する生理用ナプキンとしては、以下に示す第２の実施の形態と第３の実施の形態を構成できる。
【０１０６】
まず、第２の実施の形態では、前記中央領域２０に位置する表面シート３が図１に示す第１の実施の形態と同じ不織布で形成されており、図３に示したのと同様に、表面シート３とセカンド層５とを貫通する液透過孔２５が形成されている。この液透過孔２５は、図１と同様に前方部分２０Ａの全域に分布していてもよいし、第１の前方部分２０Ａ１と第２の前方部分２０Ａ２に均一に分布していてもよい。さらに第２の実施の形態では、前記液透過孔２５が後方部分２０Ｂに形成されていてもよい。
【０１０７】
ただし、（前方部分２０Ａの液透過孔２５の開孔面積の総和）／（前方部分２０Ａの面積）で現される開孔密度が、（後方部分２０Ｂの液透過孔２５の開孔面積の総和）／（後方部分２０Ｂの面積）の開孔密度よりも高くなっている。また、（後方部分２０Ｂの前記エンボス部２６の占める面積の総和）／（後方部分２０Ｂの面積）で現されるエンボス密度が、（前方部分２０Ａの前記エンボス部２６の占める面積の総和）／（前方部分２０Ａの面積）のエンボス密度よりも高くなっている。
【０１０８】
これは、図５において２０Ａ１の範囲と２０Ａ２の範囲を前方部分と定義し、２０Ａ３の範囲と２０Ｂの範囲を後方部分と定義したときも同じである。
【０１０９】
このように、前方部分２０Ａでは、液透過孔２５が多く存在しているため、前方部分２０Ａの特に第１の中央部分２０Ａ１では、経血が液透過孔２５を自重で通過して速やかに液吸収層４に移行できる。また前方部分２０Ａの特に第１の中央部分２０Ａ１ではエンボス部２６が少ないため、エンボス部２６が膣口に当たる確率が低くなる。
【０１１０】
一方、後方部分２０Ｂでは、エンボス部２６が多く存在するため、後方部分２０Ｂが臀部の溝内に入って身体から圧力や摩擦力を受けたときに、後方部分２０Ｂに位置する表面シート３に毛羽立ちや液透過孔２５からの破断が生じるのを防止できる。
【０１１１】
また、図５に示すように、エンボス部２６の数が少なく、液透過孔２５が支配的に存在している第１の前方部分２０Ａ１の前後に位置する第２の前方部分２０Ａ２と第３の前方部分２０Ａ３においてエンボス部２６の密集度が高くなっているため、第１の前方部分２０Ａ１の表面シートが前後で補強されることになり、第１の前方部分２０Ａ１において表面シートに過大な皺などが発生し、あるいは液透過孔２５をきっかけとして破断が生じるのを防止できるようになる。
【０１１２】
本発明の第３の実施の形態では、図５に示す中央領域２０に位置する表面シートが、液透過孔を有する樹脂フィルムで形成されている。
【０１１３】
前記樹脂フィルムは、例えば酸化チタンを含んで白濁したポリエチレンフィルムであり厚みが１５〜５０μｍ程度である。軟化状態の樹脂フィルムを多数の開孔を有するドラム表面に供給し、ドラムの内側からエアーを吸引することにより多数の液透過孔を形成したものが使用される。個々の前記液透過孔は円形、長円形である。あるいは樹脂フィルムが網構造となって、網目の部分に開孔が形成されているものが使用される。個々の液透過孔の平均幅寸法は０．２〜２ｍｍであり、液透過孔の開孔率は１０〜３０％のものが好ましく使用される。
【０１１４】
図５において、中央領域２０に（他の領域も含めて）に多数の液透過孔を有する前記樹脂フィルムが表面シート３として設けられていると、中央領域２０の全域において液透過孔が均一に分散して設けられることになる。
【０１１５】
この場合に、図５に示すエンボス部２６では、前記樹脂フィルムとその下に位置するセカンド層とが一緒に加熱されて加圧されて、エンボス部２６において、樹脂フィルムの表面シート３とセカンド層５とが一体化されている。またエンボス部２６においてセカンド層５の繊維密度が高くなっている。
【０１１６】
この第３の実施の形態においても、前方部分２０Ａでは、経血が樹脂フィルムに形成された液透過孔を透過し液透過層５の繊維間を自重で通過して速やかに液吸収層４に移行させることができる。また前方部分２０Ａの特に第１の中央部分２０Ａ１ではエンボス部２６が少ないため、エンボス部２６が膣口に当たる確率が低くなる。
【０１１７】
一方、後方部分２０Ｂにおいても表面シート３に形成された液透過層を経て経血が液透過層４に速やかに移行できるが、これと共に多数存在しているエンボス部２６においてセカンド層５の繊維密度が高い部分に経血が強い力で引き付けられる。また、後方部分２０ｂでは多く存在するエンボス部２６によって表面シート３とセカンド層５とが接合されているため、臀部の溝内に入って身体から圧力や摩擦力を受けたときに、樹脂フィルムで形成された表面シート３に過大な皺が発生するのを防止できる。
【０１１８】
また、樹脂フィルムの表面シート３と液透過層５との界面はホットメルト接着剤で接着されて密着度が高められているが、エンボス部２６において表面シート３と液透過層５とが接合されているため、前記ホットメルト接着剤の塗工量を少なくでき、よって表面シート３から液透過孔５への液の透過がホットメルト接着剤により阻害されるおそれが少なくなる。
【０１１９】
なお、本発明は前記実施の形態に限定されるものではなく種々の変形が可能である。
【０１２０】
例えば、前方連結圧縮溝１２、後方連結圧縮溝１４が設けられておらず、左右の内側圧縮溝１１と１１が互いに独立して形成されているものであっても構成することができる。
【０１２１】
【発明の効果】
以上のように本発明では、圧縮溝で挟まれた縦長の中央領域によって経血を確実に捉えることができ、後方への経血の移行を有効に防止できる。また中央領域の表面シートの耐久性を高めることができ、身体から受ける力により過大な皺が生じたり、破れが生じる不安を解消できる。
【図面の簡単な説明】
【図１】本発明の吸収性物品の第１の実施の形態の生理用ナプキンを示す平面図、
【図２】図１に示す生理用ナプキンが下着のクロッチ部に装着された状態を横方向基準線で切断したＩＩ−ＩＩ矢視の断面図、
【図３】前方部分に形成された液透過孔の開孔状態を示す拡大断面図、
【図４】後方部分に形成されたエンボス部の形成状態を示す拡大断面図、
【図５】本発明の第２の実施の形態と第３の実施の形態の生理用ナプキンを部分的に示す平面図、
【図６】生理用ナプキンが身体に取り付けられた状態を示す断面説明図、
【符号の説明】
１、１Ａ  生理用ナプキン
２  裏面シート
３  表面シート
４  液吸収層
５  セカンド層
１０  圧縮溝
１１  内側圧縮溝
２０  中央領域
２０Ａ  前方部分
２０Ｂ  後方部分
２５  液透過孔
２６  エンボス部
【図１】
2004181086.tif 000003
【図２】
2004181086.tif 000004
【図３】
2004181086.tif 000005
【図４】
2004181086.tif 000006
【図５】
2004181086.tif 000007
【図６】
2004181086.tif 000008